(57)【要約】【課題】力の弱い者であっても、容易に押し破ることができるとともに、一度の破断操作で破断することが可能な解体用切込線を備えた衛生紙箱を提供する。【解決手段】一対の上面外フラップ２９と底面４の端縁から稜線３６を介して延出された一対の底面外フラップ２８とを折り曲げて形成した一対の妻面８を有する箱状をなし、平面状に解体するための解体用切込線５０が、底面４に形成されて底面４と一の妻面８との稜線３６上における二点ａ、ｂを繋ぐ外側ミシン目１３と、外側ミシン目１３の内側に位置して外側ミシン目１３の少なくとも一部に沿うように形成され、そのカット部が、外側ミシン目１３のカット部よりも短い内側ミシン目１４と、により構成される二重ミシン目を備える第一の破断切込線１２と、上記稜線３６上における二点ａ、ｂを起点として一対の底面外フラップ２８の先端縁に達する第二の破断切込線５１と、を備える衛生紙箱１。【選択図】図１
2008213891.tif 000002
【特許請求の範囲】
【請求項１】
取出口を有する上面、底面、一対の側面により組み立てられた角筒状体を得、得られた前記角筒状体の前記上面の端縁から稜線を介して延出された一対の上面外フラップと前記底面の端縁から稜線を介して延出された一対の底面外フラップとを折り曲げて一対の妻面を形成し、衛生用紙を収納し得る内部空間が形成された箱状をなすとともに、前記衛生用紙の取出口を形成するための取出口形成用切込線が形成されることに加え、平面状に解体するための解体用切込線が形成された衛生紙箱であって、
前記解体用切込線が、
前記底面に形成されて前記底面と一の妻面との稜線上における二点を繋ぐ外側ミシン目と、前記外側ミシン目の内側に位置して前記外側ミシン目の少なくとも一部に沿うように形成され、そのカット部が、前記外側ミシン目のカット部よりも短い内側ミシン目と、により構成される二重ミシン目を備える第一の破断切込線と、
前記稜線上における二点を起点として前記一対の底面外フラップの先端縁に達する第二の破断切込線と、
を備える衛生紙箱。
【請求項２】
前記第二の破断切込線のカット部の長さが、０．１〜５ｍｍであり、前記第二の破断切込線の隣り合うカット部の間隔が、０．１〜５ｍｍである請求項１に記載の衛生紙箱。
【請求項３】
前記第二の破断切込線が、前記稜線上における二点を起点とし、前記稜線に直交するミシン目を含むものである請求項１または２に記載の衛生紙箱。
【発明の詳細な説明】
【技術分野】
【０００１】
本発明は衛生紙箱に関し、更に詳しくは、容易に解体することができる衛生紙箱に関する。
【背景技術】
【０００２】
一般に、家庭やオフィス等で広く使われているティシュペーパーは、概ね直方体の箱（以下、「カートン」と記す場合がある）の内部空間に収納された形で市販されている。このように箱に収納されたティシュペーパーを使用する際には、箱の一面（通常は箱の上面）に設けられている所定形状のミシン目（取出口形成用切込線）を切り離すことによって、取出口を形成する。そして、ティシュペーパーは、この取出口から引き出されて使用される。
【０００３】
このようなカートンは、上記取出口形成用切込線以外に、例えば、使用済みの箱を解体する際に破断されることにより箱の解体を容易にする解体用切込線などのミシン目が形成されることが多い。
【０００４】
具体的には、図１１に示すカートン１１０のように、底面４に形成されて底面４と一の妻面８との稜線３６上における二点ａ、ｂを繋ぐ一重の第一の破断切込線３１２、及び、底面４の端縁から稜線３６を介して延出された一対の底面外フラップ２８とその先端縁にある妻面接合代（不図示）との間に形成される一重のミシン目と、上記一対の底面外フラップ２８に形成され、上記二点ａ、ｂに達する一重のミシン目と、により構成される第二の破断切込線３５１を備える解体用切込線が形成されたカートンが知られている（特許文献１）。
【０００５】
【特許文献１】特開２００５−２２５５６４号公報
【発明の開示】
【発明が解決しようとする課題】
【０００６】
特許文献１のカートンは、底面と妻面との所定の位置に解体用切込線を形成しているため、大きな力を要せず簡単に解体用切込線を破断することができ、容易に偏平に押し潰すことができるという利点がある。しかしながら、特許文献１のカートンは、その解体に際し、まず、底面を押込むことによって底面に形成された第一の破断切込線を破断した後、あらためて、衛生紙箱の内側または外側（主に内側）から一対の底面外フラップを押し破ることによって底面外フラップに形成された第二の破断切込線を破断しなければならない場合が多かった。このように特許文献１のカートンは、解体用切込線（第一の破断切込線及び第二の破断切込線）を一度に破断することが困難であり、２度の破断操作が必要であった。そのため、解体操作に手間がかかり、特に、年配者、子供、障害者、女性のような力の弱い者には労力を要することとなっていた。また、カートンの解体に際してミシン目を押し破る場合、押込み位置（例えば、ミシン目の一部に偏った位置）によっては、ミシン目が安定的に綺麗に破断されないことがあった。更に、例えば、カートンを解体する場合ではなくても、カートンを捻るような外力が加えられると、特に底面に形成した第一の破断切込線の一部が破断してしまうという場合があった。
【０００７】
本発明は、このような従来技術の有する問題点に鑑みてなされたものであり、例えば、年配者、子供、障害者、女性のような力の弱い者であっても、容易に切込線（ミシン目）を押し破ることができるとともに、一度の破断操作で破断することが可能な解体用切込線を備え、この解体用切込線を押し破る際には、この解体用切込線の内側であれば押込み位置によらず、安定的に綺麗に押し破ることができ、また、例えば、衛生紙箱を形成する時などに、カートンを捻るような外力が加えられた場合であっても、解体用切込線（ミシン目）の一部が容易に破断してしまうおそれがない衛生紙箱を提供することを課題とする。
【課題を解決するための手段】
【０００８】
本発明者は上記課題を解決するために鋭意検討した結果、底面及び妻面に亘って形成した解体用切込線において、底面に形成した第一の破断切込線を、妻面（底面外フラップ）に形成した第二の破断切込線よりも大きな力で破断することを要するミシン目とすることよって、即ち、底面には所定のミシン目から構成される二重ミシン目を形成し、妻面には上記二重ミシン目よりも容易に破断可能な一重ミシン目を形成することによって、上記課題を達成することが可能であることを見出し、本発明を完成するに至った。即ち、本発明によれば、以下に示す衛生紙箱が提供される。
【０００９】
［１］  取出口を有する上面、底面、一対の側面により組み立てられた角筒状体を得、得られた前記角筒状体の前記上面の端縁から稜線を介して延出された一対の上面外フラップと前記底面の端縁から稜線を介して延出された一対の底面外フラップとを折り曲げて一対の妻面を形成し、衛生用紙を収納し得る内部空間が形成された箱状をなすとともに、前記衛生用紙の取出口を形成するための取出口形成用切込線が形成されることに加え、平面状に解体するための解体用切込線が形成された衛生紙箱であって、前記解体用切込線が、前記底面に形成されて前記底面と一の妻面との稜線上における二点を繋ぐ外側ミシン目と、前記外側ミシン目の内側に位置して前記外側ミシン目の少なくとも一部に沿うように形成され、そのカット部が、前記外側ミシン目のカット部よりも短い内側ミシン目と、により構成される二重ミシン目を備える第一の破断切込線と、前記稜線上における二点を起点として前記一対の底面外フラップの先端縁に達する第二の破断切込線と、を備える衛生紙箱。
【００１０】
［２］  前記第二の破断切込線のカット部の長さが、０．１〜５ｍｍであり、前記第二の破断切込線の隣り合うカット部の間隔が、０．１〜５ｍｍである前記［１］に記載の衛生紙箱。
【００１１】
［３］  前記第二の破断切込線が、前記稜線上における二点を起点とし、前記稜線に直交するミシン目を含むものである前記［１］または［２］に記載の衛生紙箱。
【発明の効果】
【００１２】
本発明の衛生紙箱は、例えば、年配者、子供、障害者、女性のような力の弱い者であっても、容易に切込線（ミシン目）を押し破ることができるとともに、一度の破断操作で破断することが可能な解体用切込線を備え、この解体用切込線を押し破る際には、この解体用切込線の内側であれば押込み位置によらず、安定的に綺麗に押し破ることができ、また、例えば、衛生紙箱を形成する時などに、カートンを捻るような外力が加えられた場合であっても、解体用切込線（ミシン目）の一部が容易に破断してしまうおそれがないという効果を奏するものである。
【発明を実施するための最良の形態】
【００１３】
以下、本発明を実施するための最良の形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００１４】
［１］衛生紙箱：
本発明の衛生紙箱は、例えば、図１及び図２に示す衛生紙箱１のように、取出口を有する上面２、底面４、一対の側面６により組み立てられた角筒状体を得、得られた角筒状体の上面２の端縁から稜線３６を介して延出された一対の上面外フラップ２９と底面４の端縁から稜線３６を介して延出された一対の底面外フラップ２８とを折り曲げて一対の妻面８を形成し、衛生用紙を収納し得る内部空間が形成された箱状をなすとともに、衛生用紙の取出口を形成するための取出口形成用切込線１１が形成されることに加え、平面状に解体するための解体用切込線５０が形成され、この解体用切込線５０が、底面４に形成されて底面４と一の妻面８との稜線３６上における二点ａ、ｂを繋ぐ外側ミシン目１３と、外側ミシン目１３の内側に位置して外側ミシン目１３の少なくとも一部に沿うように形成され、そのカット部が、外側ミシン目１３のカット部よりも短い内側ミシン目１４と、により構成される二重ミシン目を備える第一の破断切込線１２と、上記稜線３６上における二点ａ、ｂを起点として一対の底面外フラップ２８の先端縁に達する第二の破断切込線５１と、を備えるものである。
【００１５】
このような構成により、例えば、年配者、子供、障害者、女性のような力の弱い者であっても、容易に切込線（即ち、ミシン目）を押し破ることができるとともに、一度の破断操作で破断することが可能な解体用切込線を備え、この解体用切込線を押し破る際には、この解体用切込線の内側であれば押込み位置によらず、安定的に綺麗に押し破ることができ、また、例えば、衛生紙箱を形成する時などに、カートンを捻るような外力が加えられた場合であっても、解体用切込線（ミシン目）の一部が容易に破断してしまうおそれがない。
【００１６】
「箱状」とは、上面、底面、一対の側面、及び一対の妻面を有する形状に折り曲げられ、これらの面によって区画された、衛生用紙を収納し得る内部空間が形成される形状である。このような形状としては、例えば、直方体状、立方体状等の六面体状を挙げることができる。これらの形状では、上面と底面、一の側面と他の側面、一の妻面と他の妻面が対向するように平行に配置される。これらの形状の中では、直方体状が好ましい。例えば、図１に示す衛生紙箱１は、その側面６側を長辺、妻面８側を短辺とする直方体状に構成した例である。なお、これらの形状において、二つの面の稜線部分を面取りしたものも、本明細書にいう「箱状」に含まれるものとする。
【００１７】
［１−１］解体用切込線：
上記解体用切込線は、衛生紙箱を平面状に解体するためのものである。即ち、使用者がこの解体用切込線を押し破ることにより衛生紙箱を容易に平面状に解体することができる。衛生紙箱を平面状に解体することによって、リサイクルなどにより回収された衛生紙箱が嵩張ることがないという利点がある。
【００１８】
そして、上記解体用切込線は、底面に形成されて底面と一の妻面との稜線上における二点を繋ぐ外側ミシン目と、外側ミシン目の内側に位置して外側ミシン目の少なくとも一部に沿うように形成され、そのカット部が、外側ミシン目のカット部よりも短い内側ミシン目と、により構成される二重ミシン目を備える第一の破断切込線と、稜線上における二点を起点として一対の底面外フラップの先端縁に達する第二の破断切込線と、を備えるミシン目である。
【００１９】
ところで、例えば、特許文献１の衛生紙箱は、年配者、子供、障害者、女性のような力の弱い者などであっても、容易に切込線（ミシン目）を破断できるようにするため、カット部を長くし、カット部とカット部の間隔が短い一重の解体用切込線が形成されていた。このような衛生紙箱の解体用切込線は、その破断に際し、まず、底面に形成された第一の破断切込線を破断し、その後、底面外フラップに形成された第二の破断切込線を破断するという２段階のステップが必要となる場合が多かった。即ち、使用者は、まず、底面を押込むことにより底面に形成された切込線をすべて破断した後、あらためて、衛生紙箱の内側または外側（主に内側）から底面外フラップを押し破ることにより底面外フラップに形成された第二の破断切込線を破断しなければならない場合が多かった。このように、例えば、特許文献１の衛生紙箱の解体は、解体用切込線を破断するために２度の破断操作が必要となる場合があるため手間がかかり、特に、年配者、子供、障害者、女性のような力の弱い者には労力を要するものになっていた。
【００２０】
また、例えば、特許文献１の衛生紙箱は、力の弱い者であっても、容易に解体用切込線（ミシン目）を破断できるように形成しているため、例えば、カートンを捻るような外力が加わると、特に底面に形成した第一の破断切込線の一部が破断してしまうという場合があった。
【００２１】
一方、本発明の衛生紙箱は、その解体用切込線を上記構成とすることにより、第一の破断切込線を破断するために要する力が、第二の破断切込線を破断するために要する力に比べて大きい。そのため、第一の破断切込線を破断した後、あらためて衛生紙箱の内側または外側から力を加えることなく、連続して第二の破断切込線を破断することができる。即ち、第一の破断切込線の破断に要した力が、そのまま、第二の破断切込線を破断する力となって第二の破断切込線に伝わるため、一度の破断操作で第一の破断切込線と第二の破断切込線を破断することができる。
【００２２】
なお、「ミシン目」とは、いくつかの直線または曲線状の切込み（カット部）が連続的に形成された破線をいう。また、このミシン目は、衛生紙箱を形成するためのカートンブランクに、ミシン目形成用の刃物をあてることにより形成されるものであり、本発明においては、上記刃物をカートンブランクの表面または裏面のいずれの面からあててミシン目を形成することもできる。
【００２３】
［１−１−１］第一の破断切込線：
第一の破断切込線は、底面に形成されて前記底面と一の妻面との稜線上における二点を繋ぐ外側ミシン目と、この外側ミシン目の内側に位置して外側ミシン目の少なくとも一部に沿うように形成され、そのカット部が、外側ミシン目のカット部よりも短い内側ミシン目と、により構成される二重ミシン目を備えるものである。
【００２４】
例えば、図３は、底面に形成されて底面と一の妻面との稜線上における二点を繋ぐ外側ミシン目１３と、この外側ミシン目１３の内側に位置して外側ミシン目１３の全部に沿うように形成され、そのカット部１４ａが、外側ミシン目１３のカット部１３ａよりも短い内側ミシン目１４と、により構成される二重ミシン目を備えた第一の破断切込線１２が形成された衛生紙箱を拡大して示す例である。
【００２５】
このような構成により、衛生紙箱を形成する時などに、例えば、カートンを捻るような、衛生紙箱の解体を目的としないような外力が加えられた場合であっても、切込線（ミシン目）にかかる外力が分散され、切込線が破断してしまうおそれがない。
【００２６】
ところで、例えば、特許文献１のカートンは、一重の解体用切込線を押し破る際に、この破断切込線によって囲まれた領域の中央部からずれた部分（位置）を押込むと、上記破断切込線を安定的に綺麗に破断できない場合があった。そのため、使用者は、上記破断切込線によって囲まれた領域の中央部を押込むことが必要であり、カートンを解体する際の手間になっていた。しかし、本発明の衛生紙箱は、使用者の押込み位置によらず、例えば、第一の解体用切込線によって囲まれた領域の端部（第一の解体用切込線の一部に偏った位置）を押込んだ場合であっても安定的に綺麗に第一の破断切込線を破断することができる。
【００２７】
なお、第一の破断切込線を、内側ミシン目のカット部が、外側ミシン目のカット部よりも長く形成された二重ミシン目で構成した場合、本発明の衛生紙箱における第一の破断切込線の構成とした場合に比べて、はるかに大きな力で押込まなければ破断することは困難である。
【００２８】
ここで、本明細書において、「外側ミシン目の内側」とは、外側ミシン目の起点となる二点が位置する稜線側を意味する。例えば、図１及び図２に示す衛生紙箱１は、外側ミシン目１３の内側に内側ミシン目１４が形成されている例である。
【００２９】
上記外側ミシン目は、底面に形成されて底面と一の妻面との稜線上における二点を繋ぐミシン目である。この外側ミシン目は、上記条件を満たすミシン目である限りその形状などに特に制限はなく、その形状は、例えば、半円状、Ｕ字状、略Ｕ字状、コ字状、Ｖ字状、または多角形状等とすることができる。また、上記二点の位置は特に制限はなく、例えば、上記二点が上記稜線の中央部に位置する場合、上記二点が一の端点に偏って位置する場合、上記二点がそれぞれ一の端点及び他の端点に偏って位置する場合などとすることができる。
【００３０】
例えば、図１及び図２に示す衛生紙箱１は、二点ａ，ｂが底面４と一の妻面８との稜線３６の中央部に位置し、これら二点ａ，ｂをＵ字状に繋ぐ外側ミシン目１３が形成されている例である。
【００３１】
外側ミシン目のカット部の長さは、具体的には、２〜１０ｍｍであることが好ましく、３〜５ｍｍであることが更に好ましい。２ｍｍ未満であると、ミシン目（切込線）の強度が強くなりすぎるため、容易に破断することができなくなるおそれがある。一方、１０ｍｍ超であると、第一の破断切込線としての強度が弱くなるため、例えば、製造また輸送時などに衛生紙箱に衝撃力が加えられた場合に、ミシン目（切込線）が容易に破断してしまうおそれがある。
【００３２】
外側ミシン目の隣り合うカット部とカット部の間隙（長さ）は、具体的には、０．６〜１．５ｍｍであることが好ましく、０．８〜１．２ｍｍであることが更に好ましい。０．６ｍｍ未満であると、例えば、製造また輸送時などに衛生紙箱に衝撃力が加えられた場合に、ミシン目（切込線）が容易に破断してしまうおそれがある。一方、１．５ｍｍ超であると、ミシン目（切込線）の強度が強くなりすぎるため、容易に破断することができなくなるおそれがある。
【００３３】
上記内側ミシン目は、外側ミシン目の内側に位置して外側ミシン目の少なくとも一部に沿うように形成され、そのカット部が、外側ミシン目のカット部よりも短いミシン目である。この内側ミシン目は、上記条件を満たすミシン目である限りその形状などに特に制限はなく、外側ミシン目の「少なくとも一部に」沿うように形成されるものであるため、例えば、図１及び図２に示す衛生紙箱１のように、外側ミシン目１３の全部に沿うように形成してもよいし、また、外側ミシン目がＵ字状である場合、円弧状の部分にのみ沿うように形成することもできる。
【００３４】
内側ミシン目のカット部の長さは、具体的には、０．１〜５ｍｍであることが好ましく、０．１５〜１ｍｍであることが更に好ましい。０．１ｍｍ未満であると、ミシン目が形成できなくなるおそれがある。一方、５ｍｍ超であると、二重のミシン目の強度が弱くなるため、例えば、製造また輸送時などに衛生紙箱に衝撃力が加えられた場合に、ミシン目（切込線）が容易に破断してしまうおそれがある。
【００３５】
内側ミシン目の隣り合うカット部とカット部の間隙（長さ）は、具体的には、０．１〜５ｍｍであることが好ましい。０．１ｍｍ未満であると、ミシン目が形成できなくなるおそれがある。一方、５ｍｍ超であると、二重のミシン目の強度が弱くなるため、例えば、製造また輸送時などに衛生紙箱に衝撃力が加えられた場合に、ミシン目（切込線）が容易に破断してしまうおそれがある。なお、上記間隙は、上記範囲内である限り特に制限はないが、いずれも等しい長さであることが特に好ましい。
【００３６】
例えば、図３に示す衛生紙箱の解体用切込線１２は、外側ミシン目１３の、隣り合うカット部１３ａとカット部１３ａの間隙に対応する位置に、内側ミシン目１４のカット部１４ａが配置されるように形成されている例である。
【００３７】
また、本発明の衛生紙箱は、例えば、図４に示すように、千鳥状に配設された、外側ミシン目１１３のカット部１１３ａ及び内側ミシン目１１４のカット部１１４ａにより構成された二重ミシン目を備えた第一の破断切込線１１２を形成することもできる。
【００３８】
内側ミシン目と外側ミシン目との間隔（例えば、図３に示す「ｘ」）は、０．３〜１．１ｍｍであることが好ましく、０．６〜０．８ｍｍであることが更に好ましい。０．３ｍｍ未満であると、ミシン目を入れる刃物の厚さが薄くなるため、打ち抜き作業時に刃物が刃こぼれを起こすおそれがある。一方、１．１ｍｍ超であると、本発明の効果が十分に得られなくなるおそれがある。
【００３９】
なお、解体用切込線の第一の破断切込線は、具体例には、外側ミシン目のカット部の長さが３ｍｍであり、外側ミシン目の隣り合うカット部とカット部の間隙が１ｍｍであり、内側ミシン目のカット部の長さが１ｍｍであり、内側ミシン目の隣り合うカット部とカット部の間隙が１ｍｍであって、内側ミシン目と外側ミシン目との間隔ｘが０．７ｍｍである二重ミシン目により構成したものとすることができる。
【００４０】
［１−１−２］第二の破断切込線：
上記第二の破断切込線は、稜線上における二点を起点として一対の底面外フラップの先端縁に達するミシン目である。この第二の破断切込線は、上記条件を満たすミシン目である限りその形状などに特に制限はなく、その形状は、例えば、平行な一対のミシン目、ハの字状の一対のミシン目、逆ハの字状の一対のミシン目などとすることができる。これらの中でも、平行な一対のミシン目であることが好ましく、第一の破断切込線を破断した力を効果的に利用し、第一の破断切込線を破断した後、連続的に破断することが可能であるという観点から、底面と一の妻面との稜線に直交する平行な一対のミシン目を含むものであることが特に好ましい。
【００４１】
このような構成により、解体用切込線を破断するために２度の破断操作を必要としない。即ち、第一の破断切込線と第二の破断切込線とをそれぞれ別個に破断するという手間がかからず、解体用切込線を一度の破断操作で破断することができる。
【００４２】
なお、上記第二の破断切込線は、一重のミシン目であっても、複数のミシン目（例えば、二重など）により構成されるものであってもよいが、容易に破断することができるという観点から一重のミシン目であることが好ましい。
【００４３】
なお、第二の破断切込線は、既に上述した外側ミシン目と同様のミシン目であることが好ましい。第二の破断切込線のカット部の長さが、具体的には、０．１〜５ｍｍであることが好ましく、０．１５〜１ｍｍであることが更に好ましい。０．１ｍｍ未満であると、ミシン目が形成できなくなるおそれがある。一方、５ｍｍ超であると、二重のミシン目の強度が弱くなるため、例えば、製造また輸送時などに衛生紙箱に衝撃力が加えられた場合に、ミシン目（切込線）が容易に破断してしまうおそれがある。
【００４４】
また、第二の破断切込線の隣り合うカット部の間隔が、具体的には、０．１〜５ｍｍであることが好ましい。０．１ｍｍ未満であると、ミシン目が形成できなくなるおそれがある。一方、５ｍｍ超であると、二重のミシン目の強度が弱くなるため、例えば、製造また輸送時などに衛生紙箱に衝撃力が加えられた場合に、ミシン目（切込線）が容易に破断してしまうおそれがある。なお、上記間隙は、上記範囲内である限り特に制限はないが、いずれも等しい長さであることが特に好ましい。
【００４５】
本発明の衛生紙箱は、例えば、図５に示すカートンブランク１００を箱状に折り曲げて形成することができる。図５に示すカートンブランク１００は、Ｕ字状の解体用切込線５０として、底面４となる面に形成されて底面４となる面と一の妻面８となる面との稜線３６上における二点ａ、ｂを繋ぐ外側ミシン目１３と、この外側ミシン目１３の内側に位置して外側ミシン目１３の全部に沿うように形成され、そのカット部が、外側ミシン目１３のカット部よりも短い内側ミシン目１４と、により構成される二重ミシン目を備えたＵ字状の第一の破断切込線１２と、底面４となる面と一の妻面８となる面との稜線３６上における上記二点ａ、ｂを起点として上記稜線３６に直交し、一対の底面外フラップ２８の先端縁に達するＬ字状の第二の破断切込線５１と、を形成している例である。
【００４６】
また、本発明の衛生紙箱は、例えば、図６に示すカートンブランク１０１を箱状に折り曲げて形成することができる。図６に示すカートンブランク１０１は、Ｕ字状の解体用切込線１５０として、底面４となる面に形成されて底面４となる面と一の妻面８となる面との稜線３６上における二点ａ、ｂを繋ぐ外側ミシン目１３と、この外側ミシン目１３の内側に位置して外側ミシン目１３の全部に沿うように形成され、そのカット部が、外側ミシン目１３のカット部よりも短い内側ミシン目１４と、により構成される二重ミシン目を備えたＵ字状の第一の破断切込線１２と、底面４となる面と一の妻面８となる面との稜線３６上における上記二点ａ、ｂを起点として、一対の底面外フラップ２８の先端縁に達する上記稜線３６に直交する第二の破断切込線１５１と、を形成している例である。
【００４７】
更に、本発明の衛生紙箱は、例えば、図７に示すカートンブランク１０２を箱状に折り曲げて形成することができる。図７に示すカートンブランク１０２は、略Ｖ字状の解体用切込線２５０として、底面４となる面に形成されて底面４となる面と一の妻面８となる面との稜線３６上における二点ａ、ｂを繋ぐ外側ミシン目２１３と、この外側ミシン目２１３の内側に位置して外側ミシン目２１３の全部に沿うように形成され、そのカット部が、外側ミシン目２１３のカット部よりも短い内側ミシン目２１４と、により構成される二重ミシン目を備えた略Ｖ字状の第一の破断切込線２１２と、底面４となる面と一の妻面８となる面との稜線３６上における上記二点ａ、ｂを起点として一対の底面外フラップ２８の先端縁に達するハの字状の第二の破断切込線２５１と、を形成している例である。
【００４８】
更に、本発明の衛生紙箱は、例えば、図８に示すカートンブランク１０３を箱状に折り曲げて形成することができる。図８に示すカートンブランク１０３は、略Ｕ字状の解体用切込線３５０として、底面４となる面に形成されて底面４となる面と一の妻面８となる面との稜線３６上における二点ａ、ｂを繋ぐ外側ミシン目３１３と、この外側ミシン目３１３の内側に位置して外側ミシン目３１３の全部に沿うように形成され、そのカット部が、外側ミシン目３１３のカット部よりも短い内側ミシン目３１４と、により構成される二重ミシン目を備えたＵ字状の第一の破断切込線３１２と、底面４となる面と一の妻面８となる面との稜線３６上における上記二点ａ、ｂを起点として一対の底面外フラップ２８の先端縁に達する略ハの字状の第二の破断切込線３５１と、を形成している例である。
【００４９】
更に、本発明の衛生紙箱は、例えば、図９に示すカートンブランク１０４を箱状に折り曲げて形成することができる。図９に示すカートンブランク１０４は、略Ｖ字状の解体用切込線４５０として、底面４となる面に形成されて底面４となる面と一の妻面８となる面との稜線３６上における二点ａ、ｂを繋ぐ外側ミシン目４１３と、この外側ミシン目４１３の内側に位置して外側ミシン目４１３の全部に沿うように形成され、そのカット部が、外側ミシン目４１３のカット部よりも短い内側ミシン目４１４と、により構成される二重ミシン目を備えた略Ｖ字状の第一の破断切込線４１２と、底面４となる面と一の妻面８となる面との稜線３６上における上記二点ａ、ｂを起点として一対の底面外フラップ２８の先端縁に達する略ハの字状の第二の破断切込線４５１と、を形成している例である。
【００５０】
なお、上記解体用切込線の第一の破断切込線及び／または第二の破断切込線は、いずれも稜線上における二点を起点とするミシン目であり、上記二点の起点は、カット部であってもカット部ではなくても良い。即ち、上記解体用切込線は、上記稜線を跨ぐカット部が形成されたミシン目であってもよいし、上記稜線を回避してカット部を形成したミシン目であってもよいが、上記稜線を回避してカット部を形成したミシン目であることが好ましい。上記稜線を回避してカット部を形成すると、上記解体用切込線を、より容易に押し破ることができる。また、通常、上記稜線となる位置には押し罫が形成されており、この押し罫によって、妻面を形成する際に、底面外フラップを上記稜線に沿って容易に折り曲げることができる。上記押し罫が形成されている場合には、押し罫を回避するようにカット部を形成すると、妻面を形成する際に、より容易に底面外フラップを折り曲げることができる。
【００５１】
なお、例えば、図１２は、稜線３６となる位置に押し罫１３６を形成し、解体用切込線５０として、上記押し罫１３６を回避して、第一の破断切込線１２のカット部（外側ミシン目１３のカット部１３ａ及び内側ミシン目１４のカット部１４ａ）及び第二の破断切込線５１のカット部を形成したカートンブランクの一部を拡大して示した図である。
【００５２】
図１及び図２に示す衛生紙箱１は、以下に示すような方法により解体することができる。図８は、図１及び図２に示す衛生紙箱１を解体する工程を示す斜視図である。まず、第一の破断切込線１２の内側部分（内側領域）を親指などで押圧して所定の力を加え、第一の破断切込線１２を破断する。そして、第一の破断切込線１２を破断した勢いによって第二の破断切込線５１を破断することができる。このように第一の破断切込線１２及び第二の破断切込線５１を破断すると、図８に示すように、底面４と妻面８とを切断することができる。底面４と妻面８とを切断した後は、容易に衛生紙箱１を平面状に展開された状態に解体することができる。
【００５３】
［１−２］取出口形成用切込線：
「取出口形成用切込線」とは、衛生用紙の取出口の外周形状と一致するように形成された切込線（ミシン目）である。使用者は、この取出口形成用切込線を破断することによって取出口を形成することができ、その取出口から衛生用紙を取り出すことが可能となる。
【００５４】
衛生用紙の取出口の外周形状について特に制限はなく、衛生紙箱や衛生用紙の形状に応じて適宜選択すればよい。但し、衛生紙箱は直方体状のものが多く用いられるため、その取出口の形状は衛生紙箱の長手方向に沿った横長形状とすることが好ましい。従って、取出口の外周形状としては、例えば、略長方形状、略長円形状、長楕円形状、菱形状、または多角形状等の形状を挙げることができる。例えば、図１に示す衛生紙箱１は、略長方形状の取出口形成用切込線１１が形成されている例である。なお、図１中の破線はミシン目（切込線）を示し、実線及び一点鎖線は周縁を示す。
【００５５】
取出口形成用切込線は、通常、図１に示す衛生紙箱１のように、上面２に形成されることが多いが、特にそのような制限があるわけではない。例えば、底面に形成されていてもよいし、他の面に形成されていてもよい。また、取出口形成用切込線は一の面のみに形成されていなければならないわけではなく、二以上の面（例えば、上面と底面）に形成されていてもよい。
【００５６】
なお、取出口形成用切込線によって包囲された部分（切取片となる部分）には、取出口形成用切込線上の二点を繋ぐように、引剥がし用切込線が形成されていてもよい。このような切込線を形成することで、切取片の引き剥がしが容易となる利点がある。例えば、図１に示す衛生紙箱１は、略長方形状の取出口形成用切込線１１の両端部側に、略Ｕ字状の引剥がし用切込線１１ａが一対形成されている例である。
【００５７】
［１−３］押上片形成用切込線：
また、本発明の衛生紙箱は、底面に一対の押上片を形成するための押上片形成用切込線を形成することも好ましい形態の一つである。使用者は、衛生紙箱に収納された衛生用紙の残量が少なくなった際に、底面に形成された押上片形成用切込線を押圧して押し破り、衛生紙箱の内側に折り曲げることによって一対の押上片を形成することができる。そして、これらの一対の押上片によって、衛生紙箱内部の衛生用紙が上面側に押し上げられるため、上面の取出口から衛生用紙の最後の一枚まで、安定してポップアップさせることが可能になる。例えば、図１及び図２に示す衛生紙箱１は、底面４の中央部にＵ字状の押上片形成用切込線１５が一対形成されている例である。
【００５８】
なお、本発明の衛生紙箱は、上記取出口形成用切込線（取出口）を箱の内側から被覆するように配置されて、衛生用紙を取り出すためのスリットが形成されたフィルム材（いわゆる、「ウインドウフィルム」）を備えていてもよいし、ウインドウフィルムを備えていない、いわゆるフィルムレスの衛生紙箱であってもよい。
【００５９】
本発明の衛生紙箱は、上面、底面、一対の側面、及び一対の妻面によって区画された内部空間が形成される。この内部空間は、例えば、衛生用紙を収納するための空間である。この内部空間に衛生用紙を収納する場合、その種類について特に制限はなく、例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００６０】
これらの中でも、ティシュペーパー束が好ましく、このティシュペーパー束は、例えば、一のティシュペーパーが折り畳まれ、その折り返し部分に他のティシュペーパーが挟み込まれた状態で折り畳まれることによって、複数枚のティシュペーパーが連続的に積層されたものである。このような積層構造のティシュペーパーは、最上層のティシュペーパーを取り出すことにより、これに挟み込まれていた次層のティシュペーパーの一部が取出口から突出する（いわゆる、「ポップアップ方式」）ため、ティシュペーパーを容易に取り出すことができるという利点がある。
【００６１】
本発明の衛生紙箱を構成する材質について特に制限はない。但し、シート状の材料を折り曲げ形成により箱状とする都合上、厚紙等の紙材料を構成材料とすることが好ましい。一般に、これらの紙材料としては、例えば、木材パルプ、古紙等を原料として製造されたものを好適に用いることができる。
【００６２】
図１〜図３に示す衛生紙箱１は、以下のような方法により解体することができる。まず、解体用切込線１２の内側部分（領域）を親指などで押圧して解体用切込線１２を押し破ると、包装用箱１は、図１０に示すような状態になる。即ち、底面４と妻面８とを切断することができる。その後、上面２と底面４とを合わせると、衛生紙箱１を容易に平面状に展開された状態に解体することができる。
【００６３】
［２］衛生紙箱の製造方法：
本発明の衛生紙箱は、例えば、以下の製造方法によって製造することができる。まず、紙材料等を打ち抜くことにより、例えば、折り曲げ線を介して上面２、底面４、一対の側面６となる面を有し、上面２の端縁から稜線を介して延出された一対の上面外フラップ２９と、底面４の端縁から稜線を介して延出された一対の底面外フラップ２８と、一対の側面６の端縁から稜線を介して延出された一対の内フラップ２６と、上記一の底面外フラップ２８の先端に、一対の上面外フラップ２９との接合代である妻面接合代３４とを備えた図５に示すようなカートンブランク１００を用意する。次いで、このカートンブランクの底面となる面及び一対の外側フラップに、所定の形状を有するように所定の間隔で所定のカット部を形成して解体用切込線の外側ミシン目及び第二の破断切込線とする。その後、外側ミシン目の内側に位置して外側ミシン目の少なくとも一部に沿うように、そのカット部が、外側ミシン目のカット部よりも短い内側ミシン目を形成する。そして、カートンブランクの底面となる面に、押上片形成用切込線を形成するとともに、カートンブランクの上面となる面に、取出口形成用切込線を形成する。このようにして、例えば、解体用切込線５０、取出口形成用切込線１１、及び押上片形成用切込線１５が形成された図５に示すようなカートンブランク１００を得ることができる。その後、上記カートンブランクに形成した上記取出口形成用切込線を覆うように、予めスリットが形成されたウインドウフィルムを貼り付ける。
【００６４】
なお、取出口形成用切込線、解体用切込線、及び押上片形成用切込線の形成順序は特に制限はなく、また、いわゆるフィルムレスカートンを製造する場合には、ウインドウフィルムの貼り付けは省略することができる。更に、解体用切込線の外側ミシン目、内側ミシン目、及び第二の破断切込線の形成順序も特に制限はない。
【００６５】
続いて、カートンブランクを折り曲げ線に沿って折り曲げ、例えば、図５に示すようなカートンブランク１００における側面６と底面４の側面接合代３２とを重ね合わせ、その重なり部分を接着剤によって接着することによって妻面側が開放された角筒状とする。その後、角筒状のカートンブランクの内部空間に、例えば、衛生用紙が積層された衛生用紙束を装填する。装填後、一対の内フラップを折り曲げ線に沿って折り曲げ、更に、底面外フラップと上面外フラップとをその一部が互いに重なり合うように折り曲げる。そして、妻面接合代に接着剤等を塗布し、重なり部分を接着することによって、一対の妻面を形成し、本発明の衛生紙箱とすることができる。
【産業上の利用可能性】
【００６６】
本発明の衛生紙箱は、ティシュペーパー、キッチンペーパー等のペーパータオル、シート状のトイレットペーパー、ワッティング（紙綿）等の衛生用紙を収納するための衛生紙箱として、好適に用いることができる。
【図面の簡単な説明】
【００６７】
【図１】本発明の衛生紙箱の一の実施形態を示す、一部を透視した斜視図である。
【図２】本発明の衛生紙箱の一の実施形態を示す別の斜視図である。
【図３】図１に示す衛生紙箱の部分拡大図である。
【図４】本発明の衛生紙箱の別の実施形態を示す、部分拡大図である。
【図５】本発明の衛生紙箱の一の実施形態の一例を示す図であり、衛生紙箱を組み立てる前のカートンブランクの状態の展開図である。
【図６】本発明の衛生紙箱の別の実施形態の一例を示す図であり、衛生紙箱を組み立てる前のカートンブランクの状態の展開図である。
【図７】本発明の衛生紙箱の別の実施形態の一例を示す図であり、衛生紙箱を組み立てる前のカートンブランクの状態の展開図である。
【図８】本発明の衛生紙箱の別の実施形態の一例を示す図であり、衛生紙箱を組み立てる前のカートンブランクの状態の展開図である。
【図９】本発明の衛生紙箱の別の実施形態の一例を示す図であり、衛生紙箱を組み立てる前のカートンブランクの状態の展開図である。
【図１０】図１に示す衛生紙箱を解体する工程を示す斜視図である。
【図１１】従来の衛生紙箱を示す斜視図である。
【図１２】図５に示すカートンブランクの解体用切込線の部分拡大図である。
【符号の説明】
【００６８】
１，１１０：衛生紙箱、２：上面、４：底面、６：側面、８：妻面、１１：取出口形成用切込線、１１ａ：引剥がし用切込線、１２，１１２，２１２，３１２：第一の破断切込線、１３，１１３，２１３：外側ミシン目、１３ａ，１１３ａ：カット部、１４，１１４，２１４：内側ミシン目、１４ａ，１１４ａ：カット部、１５：押上片形成用切込線、２６：内フラップ、２８：底面外フラップ、２９：上面外フラップ、３２：側面接合代、３４：妻面接合代、３６：稜線、５０，１５０，２５０，３５０：解体用切込線、５１，１５１，２５１，３５１：第二の破断切込線、１００，１０１，１０２：カートンブランク、１３６：押し罫。
【図１】
2008213891.tif 000003
【図２】
2008213891.tif 000004
【図３】
2008213891.tif 000005
【図４】
2008213891.tif 000006
【図５】
2008213891.tif 000007
【図６】
2008213891.tif 000008
【図７】
2008213891.tif 000009
【図８】
2008213891.tif 000010
【図９】
2008213891.tif 000011
【図１０】
2008213891.tif 000012
【図１１】
2008213891.tif 000013
【図１２】
2008213891.tif 000014